(57)【要約】【課題】包装袋から取り出すロングパスタの分量を別途スパゲッティメジャー等の計量器具を用いることなく、包装袋を使って簡単に計量することができるようにする。【解決手段】ロングパスタ２の包装袋１に、該袋１の上から手指で握り束ねたロングパスタ２、２…の分量をその束の外周にループ状に押し当てる袋部分の長さによって計量するスケール５が形成され、該スケールは、例えば、ロングパスタの束の外周に袋部分をループ状に押し当てるときにそのループの始端とすべき位置に指針６を表示し、ループの終端とすべき位置に目盛７を表示して、指針６が指し示す目盛７を読み取って分量を計るようになっている。【選択図】図２
2005341842.tif 000002
【特許請求の範囲】
【請求項１】
一定の長さに切り揃えられた棒状乾麺を包装する袋に、該袋の上から手指で握り束ねた棒状乾麺の分量をその束の外周にループ状に押し当てる袋部分の長さによって計量するスケールが形成されていることを特徴とする棒状乾麺の包装袋。
【請求項２】
前記スケールが、前記棒状乾麺の束の外周に袋部分をループ状に押し当てる際にそのループの始端及び終端とすべき位置を棒状乾麺の分量に応じて表示するものである請求項１記載の包装袋。
【請求項３】
前記スケールが、前記ループの始端とすべき位置に指針を表示し、該ループの終端とすべき位置に棒状乾麺の二以上異なる分量を刻み示す目盛を表示するものである請求項２記載の包装袋。
【請求項４】
前記スケールが、前記ループの始端とすべき位置に棒状乾麺の二以上異なる分量を刻み示す目盛を表示し、該ループの終端とすべき位置に前記目盛が示す分量に対応した分量を刻み示す目盛を表示するものである請求項２記載の包装袋。
【請求項５】
前記スケールが、前記ループの始端とすべき位置から該ループの終端とすべき位置まで達する帯状図柄を表示するものである請求項２記載の包装袋。
【発明の詳細な説明】
【技術分野】
【０００１】
本発明は、ロングパスタ等の棒状乾麺を包装する包装袋に関する。
【背景技術】
【０００２】
スパゲッティやカッペリーニ等のロングパスタを密封包装する包装袋は、透明なポリエチレンフィルムで製袋されたものが一般的であり、その袋の表側には商標や装飾図柄等がプリントされ、袋の裏側には商品名や原材料名、消費期限、製造者等を表示する文字がプリントされている。なお、乾燥うどんや冷麦、蕎麦、素麺等の棒状乾麺を密封包装する包装袋は、ポリエチレンフィルム単体で製袋されたもの以外に、該フィルムと模造和紙とを貼り合わせたラミネートフィルム等で製袋されたものもある。
【０００３】
これら包装袋は、棒状乾麺の内容量（例えば２００ｇ、３００ｇ、５００ｇ、１ｋｇ等）に応じた大きさに製袋されて、その袋の両端がフィンシールによって気密封止されている。そして、包装袋から内容物の棒状乾麺を取り出すときは、袋の片端側を気密封止するフィンシールの部分をハサミで切り取ってその片端側のみを開封するのが通常である。なお、ロングパスタを５００ｋｇあるいは１ｋｇ袋詰めする包装袋は、その片端側を気密封止するフィンシールの内側に該フィンシールの部分を切り取って開封した開封口を密閉するためのファスナーが形成されているものもある。
【０００４】
ところで、細くて脆弱な素麺や蕎麦は、包装袋の上から手で触ったり包装袋の中から掴んで取り出すときに折れないようにするため、例えば５０ｇ〜８０ｇ程度ずつ紙テープやビニールテープ等で結束して包装袋に袋詰めすると同時に、その包装袋の中に板紙で成る中敷を入れるのが一般的であるが、手で触ったり軽く掴む程度では簡単に折れないロングパスタや乾燥うどん、冷麦等は、包装コストを低減するために、ばらけた状態で包装袋に袋詰めし、その包装袋には中敷など入れないのが一般的である。
【０００５】
上記のように紙テープやビニールテープで結束した素麺や蕎麦の１束当たりの分量（５０ｇ〜８０ｇ）は、必ずしも１人前の分量に相当するものではないが、このように一定量ずつ結束されていれば、人数分の分量を計る目安になるので、茹でる量が必要以上に多過ぎたり、少な過ぎるという不具合を生ずるおそれが少ない。これに対し、包装袋の中にばらけた状態で入っているロングパスタや乾燥うどん等は、人数分の分量を計る目安がないため、その分量を誤りやすく、無駄に多く茹で過ぎたり、茹でる量が少な過ぎて人数分に足りないことがよくある。しかも、ロングパスタの茹で時間は、最も細いカッペリーニでも約５分前後、その２倍程度太いスパゲッティでは１０分前後も要するから、茹で足りなかった分量を速やかに補填することができない。また、例えば、開封済み包装袋の中に使い掛けのロングパスタが残っている場合に、その残量では人数分の分量に足りないと誤判して、未使用のロングパスタが密封包装された包装袋を不必要に開封してしまうこともある。
【０００６】
そこで、ロングパスタの分量を誤らないようにするために、包装袋から取り出したロングパスタの束を１人分、２人分、３人分又は４人分の束に相当する大きさを有した円形穴に嵌め入れてその分量を計る計量器具が市販されている。この種の計量器具は、スパケッティメジャーあるいはパスタメジャーと呼ばれ、木板やアルミ板、ステンレス板、陶板等で成る板体にロングパスタ１人分〜４人分の束を夫々嵌め入れることができる計４つの円形穴をあけたものが一般的であり、この器具の構造に関する発明も提案されている（特許文献１参照）。
【０００７】
【特許文献１】特開２００３−３３９５５７号公報
【０００８】
しかしながら、スパゲッティメジャーは、上記円形穴にロングパスタの束を嵌め入れる際に、力を入れすぎると束の外側に位置する麺が折れてしまうという欠点があり、特に、麺の直径が１ｍｍ以下のカッペリーニは、上記円形穴に出し入れする際にその円形穴の縁に当たって簡単に折れやすいという問題があった。また、スパゲッティメジャーでロングパスタの分量を正確に計ろうとすれば、包装袋から取り出して束にするロングパスタの量を加減して、その束の太さをスパゲッティメジャーの円形穴の大きさと一致させるように調整しなければならないという面倒がある。また、そもそも、スパゲッティメジャー等の計量器具を使って分量を計るのは面倒であるし、その計量器具を買い備えていない場合やどこかに仕舞い込んで手元にない場合は、分量を計ることができないという不便がある。
【０００９】
更に、ロングパスタの１人前の目安となる分量は１００ｇ程度とされていることから、市販のスパゲッティメジャーは、通常、１人分の１００ｇ、２人分の２００ｇ、３人分の３００ｇ及び４人分の４００ｇを計る４つの円形穴があけられているが、それらの穴の大きさは、標準的な長さ２５ｃｍのロングパスタの束を嵌め入れたときの分量を基準として規定されているため、標準の倍以上もある長さ５２ｃｍのロングパスタや、標準の２／３程度しかない長さ約１６ｃｍのロングパスタについては、人数分の適正分量を計ることができないという問題がある。
【００１０】
上述のような諸事情に鑑み、最近は、ロングパスタを１００ｇずつテープで結束して１人分の分量に小分けした状態で包装袋に袋詰めすることも行われているが、
この場合は、ロングパスタを一定量ずつテープで結束する装置が必要となるから、その分だけ設備費と包装コストが嵩むという問題がある。また、ロングパスタを茹でる際に、これを束ねたテープを一々剥がすのは煩わしく面倒であり、特に、例えば内容量５００ｇの包装袋に袋詰めされたロングパスタを全量茹でるときは、５束分のテープを剥がさなければならないから非常に面倒である。
【発明の開示】
【発明が解決しようとする課題】
【００１１】
本発明が解決しようとする技術的課題は、ロングパスタ等の棒状乾麺が１人前の分量ずつテープで結束されることなく個々にばらけた状態で包装袋に入れられていても、その棒状乾麺を包装袋の中から必要な分量だけ取り出して、スパゲッティメジャー等の計量器具を使用することなく人数分の分量を茹でることができるようにすることである。
【課題を解決するための手段】
【００１２】
本発明に係る棒状乾麺の包装袋は、一定の長さに切り揃えられた棒状乾麺を包装する袋に、該袋の上から手指で握り束ねた棒状乾麺の分量をその束の外周にループ状に押し当てる袋部分の長さによって計量するスケールが形成されていることを特徴とするものである。
【発明の効果】
【００１３】
本発明によれば、棒状乾麺の包装袋にその袋の上から手指で握り束ねた棒状乾麺の分量を計るスケールが形成されているので、包装袋の中から棒状乾麺を必要な分量だけ取り出して人数分に応じた分量の棒状乾麺を茹でることができる。したがって、棒状乾麺を一定量ずつ小分けするようにテープで結束して包装袋に袋詰めしたり、スパゲッティメジャー等の計量器具を使用して棒状乾麺の分量を計る面倒がない。また、スケールは、包装袋の上から手指で握り束ねた棒状乾麺の分量をその束の外周にループ状に押し当てる袋部分の長さによって計るものであるから、包装袋から取り出した棒状乾麺の束を板体にあけた円形穴に嵌め込んで分量を計るスパゲッティメジャー等に比べて計量が容易であり、計量の際に棒状乾麺が折れるおそれも少ない。
【発明を実施するための最良の形態】
【００１４】
本発明に係る包装袋の最良の実施形態は、一定の長さに切り揃えられた棒状乾麺を包装する袋に、該袋の上から手指で握り束ねた棒状乾麺の分量をその束の外周にループ状に押し当てる袋部分の長さによって計量するスケールが形成され、該スケールが、前記棒状乾麺の束の外周に袋部分をループ状に押し当てる際にそのループの始端及び終端とすべき位置を棒状乾麺の分量に応じて表示するものである。
【実施例１】
【００１５】
図１は本発明に係る包装袋の一例を示す図、図２はその包装袋を用いて棒状乾麺の分量を計る方法を示す図である。なお、図1は包装袋を表側と裏側から見たときの斜視図を表したものである。
【００１６】
図１及び図２に示す包装袋１は、標準的な長さ２５ｃｍに切り揃えられたロングパスタ（棒状乾麺）２を５００ｇ包装する袋であって、この袋１は、透明ポリエチレンフィルム等の非伸縮性透明フィルムで製袋され、その両端が各々フィンシール３、４によって気密封止されるようになっている。そして、フィンシール３で気密封止される袋１の片端側には、その袋１の上から例えば図２の如く手指で握り束ねたロングパスタ２、２…の分量をその束の外周にループ状に押し当てる袋部分の長さによって計量するスケール５が形成されている。
【００１７】
スケール５は、袋１の上から手指で握り束ねたロングパスタ２、２…の束の外周に袋部分をループ状に押し当てる際に、そのループの始端及び終端とすべき位置をロングパスタ２の分量に応じて表示するものであって、ループの始端とすべき位置に、指針６を表示し、ループの終端とすべき位置に、ロングパスタ２の二以上異なる分量を刻み示す目盛７を表示するようになっている。
【００１８】
つまり、包装袋１は、図２の如くロングパスタ２、２…を握り束ねてその束の外周に袋部分をループ状に押し当てる際に、そのループの始端にスケール５の指針６を位置させると共に、そのループの終端にスケール５の目盛７を位置させ、ループの始端に位置させた指針６が指し示す目盛７を読み取って、握り束ねたロングパスタ２、２の分量を計るようになっている。
【００１９】
なお、本実施例では、スケール５の指針６が袋１の表側１ａに形成され、目盛７が袋１の裏側１ｂに形成されている。目盛７は、ロングパスタ２の１人分（１００ｇ）、２人分（２００ｇ）、３人分（３００ｇ）及び４人分（４００ｇ）の分量を刻み示す目盛線Ｌ１〜Ｌ４が袋１の幅方向に沿って設けられると共に、その目盛線Ｌ１〜Ｌ４が示す分量の大きさを表す「１」、「２」、「３」及び「４」の数字Ｎ１〜Ｎ４が付されている。指針６は、目盛７を指し示す先端部が尖ったマーク「▼」で構成されている。
【００２０】
また、袋１の裏側ｂは、その裏側ｂから目盛７と指針６の双方が視認できるように、表側ａに形成された指針６と対峙する部分が透明部８となっている。また、目盛７は、袋１の裏側ｂの外面に、目盛線Ｌ１〜Ｌ４と数字Ｎ１〜Ｎ４を直接プリントするか又は目盛線Ｌ１〜Ｌ４と数字Ｎ１〜Ｎ４がプリントされたシールを貼付して形成され、指針６は、袋１の表側ａの内面又は外面に、マーク「▼」をプリントするか又は該マークをプリントしたシールを貼付して形成されている。なお、図示は省略するが、袋１の表側ａ及び裏側ｂには、スケール５と透明部８が形成された部分を除いて、商標や装飾図柄、スケール５の使用方法を記述した文字等がプリントされている。
【００２１】
上記の如くループ状とする袋部分は、そのループの始端とすべき指針６の先端部からループの終端とすべき目盛７の各目盛線Ｌ１、Ｌ２、Ｌ３及びＬ４までの長さが、夫々ロングパスタ２を１００ｇ、２００ｇ、３００ｇ及び４００ｇ束ねたときのその束の外周に略相当する長さに設定されている。
【００２２】
以上が包装袋１の構成であり、次にその包装袋１によってロングパスタ２の分量を計る方法について説明する。まず、図１の如くロングパスタ２を密封包装した未開封の包装袋１は、スケール５が形成された片端側を気密封止するフィンシール３の部分をハサミで切り取ってその片端側を開封する。そして、包装袋１からロングパスタ２を例えば１人分の分量だけ取り出したいときは、図２の如く、袋１に入ったロングパスタ２、２…を開封口から適当な長さ突出させて、袋１の上から片手でロングパスタ２、２…を握り束ねてその束の外周に袋部分をループ状に押し当てると共に、袋１に形成されたスケール５の指針６が１人分の分量を表す「１」の数字Ｎ１が付された目盛線Ｌ１を指し示すように、握り束ねるロングパスタ２、２…の量を指先で加減調整する。
【００２３】
このようにしてスケール５の指針６が目盛線Ｌ１を指し示した状態にすると、握り束ねたロングパスタ２、２…の量は１人分の分量である約１００ｇとなっているから、後は、そのロングパスタ２、２…の束を袋１の中から抜き取って茹でるだけでよい。なお、包装袋１から２人分、３人分又は４人分のロングパスタ２を取り出したいときは、上記と同様の手順に従って、指針６が夫々目盛線Ｌ２、Ｌ３又はＬ４を指し示すように握り束ねるロングパスタ２、２…の量を指先で加減調整すればよい。
【００２４】
このように、本実施例によれば、ロングパスタ２を包装する袋１を用いてロングパスタ２の１人分〜４人分の分量を簡単に計ることができるので、別途スパゲッティメジャー等の計量器具を使用する必要はないし、ロングパスタ２を１人分の分量ずつテープで結束して包装する必要もない。また、包装袋１に入ったロングパスタ２を袋１の上から握り束ねてその分量を計るので、ロングパスタ２が折れるおそれも少ない。更に、包装袋１に形成されたスケール５を見ながら、袋1の上から握り束ねるロングパスタ２、２…の量を指先で自在に加減調整して、各目盛線Ｌ１〜Ｌ４が表示する人数分の分量より若干少な目又は多目の分量も簡単に計ることができる。また、図示は省略するが、１００ｇ単位で分量を刻む目盛線Ｌ１〜Ｌ４に加えて、５０ｇ単位で分量を刻む目盛線を設ければ、少な目の分量や多目の分量を計るときの目安となって便利である。
【００２５】
なお、ロングパスタ２の長さが、本実施例の２５ｃｍより短い例えば１６ｃｍであるときは、その１本当たりの重量が軽くなり、同じ分量でも束の外周が大きくなるから、それに応じて指針６と目盛線Ｌ１〜Ｌ４との間の間隔を拡大し、また、ロングパスタ２の長さが、本実施例の２５ｃｍより長い例えば５２ｃｍであるときは、その１本当たりの重量が重くなり、同じ分量でも束の外周が小さくなるから、それに応じて指針６と目盛線Ｌ１〜Ｌ４との間の間隔を縮小する。
【００２６】
また、本実施例のスケール５は、商標や装飾図柄がプリントされる包装袋１の表側ａの外観や体裁を極力損なわないようにするため、その袋１の表側ａに、マーク「▼」のみで構成される指針６を配し、目盛線Ｌ１〜Ｌ４と数字Ｎ１〜Ｎ４とで構成される目盛７を袋１の裏側ｂに配するようにしたが、包装袋１にスケール５が形成されていることを明確に知らしめるために、需要者の注意を惹く袋1の表側１ａに目盛７を配し、その目盛７を指し示す指針６を袋１の裏側１ｂに配するようにしてもよい。
【００２７】
また、指針６は、実施例のようなマーク「▼」に限らず、矢印等であってもよく、要するに目盛７を指し示すことができるものであればよい。また、目盛７は、１人分〜４人分の分量を表す「１」〜「４」の数字Ｎ１〜Ｎ４に代えて、例えば「１人／１人分」〜「４人／４人分」の文字や「１皿／１皿分」〜「４皿／４皿分」の文字、あるいは、１人〜４人の人間や１枚〜４枚の皿を描いた図形を表してもよい。
【実施例２】
【００２８】
図３は本発明に係る包装袋の他の例を示す図であって、本図に示す包装袋１１のスケール１５は、袋１１の上から手指で握り束ねたロングパスタの束の外周に袋部分をループ状に押し当てる際に、そのループの始端及び終端とすべき位置をロングパスタの分量に応じて表示する点において実施例１のスケール５と共通するが、該スケール５が、ループの始端とすべき位置に指針６を表示し、ループの終端とすべき位置にロングパスタの二以上異なる分量を刻み示す目盛７を表示するものであるのに対し、本実施例２のスケール１５は、ループの始端とすべき位置にロングパスタの二以上異なる分量を刻み示す目盛１７Ｘを表示し、ループの終端とすべき位置に目盛１７Ｘが示す分量に対応した分量を刻み示す目盛１７Ｙを表示するものである点が相違する。
【００２９】
すなわち、図３のスケール１５は、袋１１の表側１１ａに、ロングパスタ１人分〜４人分の分量を示す目盛線Ｌ１〜Ｌ４と、その分量の大きさを表す「１」、「２」、「３」及び「４」の数字Ｎ１〜Ｎ４とを表示する目盛１７Ｘが設けられると共に、袋１１の表側１１ａから透けて見える裏側１１ｂに、目盛１７Ｘと同じくロングパスタ１人分〜４人分の分量を示す目盛線Ｌ１〜Ｌ４と、その分量の大きさを表す「１」、「２」、「３」及び「４」の数字Ｎ１〜Ｎ４とを表示する目盛１７Ｙが設けられて、袋１１の上からロングパスタを握り束ねてその束の外周に袋部分をループ状に押し当てる際に、そのループの始端と終端に夫々目盛１７Ｘと目盛１７Ｙを位置させて、例えば、１人分の分量（１００ｇ）を計る場合は、共に「１」の数字Ｎ１が付された目盛１７Ｘの目盛線Ｌ１と目盛１７Ｙの目盛線Ｌ１とが重なり合うように、握り束ねるロングパスタの量を指先で加減調整し、双方の目盛線Ｌ１及びＬ１が互いに重なり合った時に１人分の分量（１００ｇ）が計量されたこととなるように構成されている。
【００３０】
そのために、握り束ねたロングパスタ２、２…の外周に押し当ててループ状とする袋部分は、目盛１７Ｘの目盛線Ｌ１と目盛１７Ｙの目盛線Ｌ１との間における長さが、ロングパスタ２を１００ｇ束ねたときのその束の外周に略相当する長さに選定されている。また、目盛１７Ｘと目盛１７Ｙの両目盛線Ｌ２及びＬ２間、Ｌ３及びＬ３間、Ｌ４及びＬ４間における長さは、夫々ロングパスタ２を２００ｇ、３００ｇ、４００ｇ束ねたときのその束の外周に略相当する長さに選定されている。
【実施例３】
【００３１】
図４は本発明に係る包装紙の更に他の例を示す図である。本図に示す包装袋２１は、例えば内容量３００ｇの袋であり、そのスケール２５は、袋２１の上から手指で握り束ねたロングパスタの束の外周に袋部分をループ状に押し当てる際に、そのループの始端及び終端とすべき位置をロングパスタの分量に応じて表示する点において実施例１及び２のスケール５及び１５と共通するが、本実施例３のスケール２５は、ループの始端及び終端とすべき位置を指針や目盛等で表示せずに、ループの始端とすべき位置から該ループの終端とすべき位置まで達する帯状図柄を表示するものである点で相違する。
【００３２】
すなわち、図４の包装袋２１に形成されたスケール２５は、ロングパスタを握り束ねてループ状とする袋部分に、その袋部分がロングパスタ１人分（１００ｇ）の束の外周にループ状に押し当てられた長さに相当する長さを有した帯状図柄を表示するもので、該帯状図柄は人目を惹く鮮やかな色彩が施されると共に、その帯状図柄によって１人分の分量が計れることを示す例えば「１人分」、「１００ｇ」等の文字がプリントされている。このスケール２５は、帯状図柄がその両端を互いに衝き合わせてループ状となったときに１人分の分量（１００ｇ）が計量されたこととなる。なお、スケール２５が、袋２１の表面に貼付する帯状の粘着シールによって構成されていると、その存在が際立つので、袋２１の表面にプリントされた装飾図柄等と相紛れるおそれは少ないし、粘着シールの厚みにより帯状図柄の両端の位置を指先で触って確認することができるので計量に便利である。
【００３３】
実施例１〜３の包装袋は、いずれもロングパスタの包装袋であるが、本発明は、これに限らず、乾燥うどんの包装袋やその他の棒状乾麺の包装袋にも適用することができる。
【図面の簡単な説明】
【００３４】
【図１】本発明に係る包装袋の一例を示す図
【図２】図１の包装袋を用いて棒状乾麺の分量を計る方法を示す図
【図３】本発明に係る包装袋の他の例を示す図
【図４】本発明に係る包装袋の他の例を示す図
【符号の説明】
【００３５】
１    包装袋
２    ロングパスタ（棒状乾麺）
５    スケール
６    指針
７    目盛
１１    包装袋
１５    スケール
１７Ｘ  目盛
１７Ｙ  目盛
２１    包装袋
２５    スケール
【図１】
2005341842.tif 000003
【図２】
2005341842.tif 000004
【図３】
2005341842.tif 000005
【図４】
2005341842.tif 000006